(57)【要約】      （修正有）【課題】光ケーブルネットワークの接続構成が複雑多岐にわたるため、指定の光ケーブルの集合において、光ケーブルの心線の接続情報を図面で把握したり、心線接続情報を把握したり、心線の利用情報を把握したり、心線の接続・切断処理を行うのが難しい。【解決手段】光ケーブル心線ネットワーク管理システムは、キーボード、マウス、ＧＵＩなどからなる入力装置１と、中央処理装置（ＣＰＵ）２と、設備シンボルおよび地図シンボルのデータを格納した設備図ファイル３と、設備図ファイル３内の各シンボルと各設備との間のリンク情報を格納する属性ファイル４と、属性ファイル４の内容、設備図ファイル等を出力する表示装置５と、を有している。さらに、属性ファイル４は、設備属性情報テーブル６と、光ケーブル接続情報テーブル７と、光ケーブル心線接続情報８ａ及び作業履歴情報テーブル８ｂと、光ケーブル心線利用情報テーブル９と、を有している。【選択図】図１
2008146350.tif 000002
【特許請求の範囲】
【請求項１】
表示部と、中央処理装置と、ネットワーク設備シンボルと地図シンボルとを含む設備図データを格納する設備図ファイル記憶部と、該設備図ファイル記憶部内の前記各シンボルと各設備との間のリンク情報と、ケーブル内の心線の接続情報と、を格納した属性ファイル記憶部と、を有する記憶装置を有するケーブル管理装置であって、
前記属性ファイル記憶部は、
設備ＩＤを含む設備属性情報テーブルと、ケーブルＩＤと該ケーブルＩＤで特定されるケーブルの端設備のＩＤとを含むケーブル接続情報テーブルと、設備ＩＤと、該設備ＩＤに接続する２本のケーブルをそれぞれ特定する２つのケーブルＩＤと、ケーブルにおける心線の接続状況を心線毎に特定する心線ＮＯと、を含み、始端側の設備ＩＤと、接続されるケーブルＩＤと、接続される心線ＮＯと、の組合わせによりユニークとなるように構成されているケーブル心線接続情報テーブルと、利用ＩＤにより識別され、前記ケーブルＩＤ及び心線ＮＯと、心線ＮＯ毎の心線の利用情報と、を含むケーブル心線利用情報テーブルと、をそれぞれ独立に記憶しており、
前記中央処理装置は、前記記憶装置内の情報を参照し、前記設備属性情報テーブルに基づいて前記設備ＩＤを選ぶと、該設備ＩＤに接続可能なケーブルと始端側と反対の端設備との組みの第１の選択肢を前記ケーブル接続情報テーブルに基づいて表示し、該第１の選択肢からケーブルを選択すると第１のケーブルルートが指定される処理を行っていく処理中において、ある施設に関する接続元ケーブルと接続先ケーブルとの少なくともいずれかに関する心線の利用状況を前記ケーブル心線利用情報テーブルに基づいて検索し、前記心線の利用状況を視覚的に認識可能な表示を行うことを特徴とするケーブル管理装置。
【請求項２】
前記心線の利用状況は、心線毎の表示候補として、未使用（空き）と、使用中と、計画中と、不良と、申し込み後のキャンセルとを、含むことを特徴とする請求項１に記載のケーブル管理装置。
【請求項３】
前記中央処理装置は、前記心線の選択に応じて、前記ケーブル接続情報テーブルと前記光ケーブル心線接続情報テーブルとに基づいて心線の番号を取得するとともに、心線の接続情報を自動的に検索し、接続されているテープ図形、接続記号の図形を強調表示する処理を行うことを特徴とする請求項１また２に記載のケーブル管理装置。
【請求項４】
前記ケーブル心線接続情報テーブルにおいて、心線ＮＯ毎に作業ＩＤが付加されており、さらに、前記属性ファイルは、前記作業ＩＤに対応する作業履歴と作業者ＩＤとを有する作業情報を含み、心線ＮＯに対応して前記作業履歴と前記作業者ＩＤとの少なくともいずれか一方を参照可能に構成されていることを特徴とする請求項１から３までのいずれか１項に記載のケーブル管理装置。
【請求項５】
前記属性ファイルに基づいて、前記表示部への表示対象となるケーブルのルートを指定すると、ケーブルのルートについて心線接続の状況を表示し、表示上において光ケーブルの心線の接続・切断を行うためのインターフェイスを提供し、表示上において、指定した光ケーブルの心線の接続情報を追跡して、前記指定した光ケーブルの心線の束であるテープ内の光ケーブルの心線の利用情報を表示する手段を備えることを特徴とする請求項１から３までのいずれか１項に記載のケーブル管理装置。
【発明の詳細な説明】
【技術分野】
【０００１】
本発明は、ケーブル心線の管理技術に関し、特に、光ケーブルネットワーク設備をコンピュータ上で動作する地図情報システム上に重畳表示させることができる装置における、設備データ等の管理技術、光ケーブル心線の接続情報の管理技術、線路設計技術に関する。
【背景技術】
【０００２】
近年、インターネットやコンテンツの配信用のネットワークとして、高速かつ大容量のデータ通信が可能な光ケーブルネットワーク網の拡充が急速に進み、ネットワーク構成には日々、追加・更新が発生している。このような複雑なネットワークの管理において、ある地点から別の地点まで、光ケーブルのルートを決定し、心線を接続する作業を行う場合に、図面または表計算ソフト等により人間が調査し、情報を確認し、決定しているのが現状である。関連する公知技術文献としては下記の特許文献１、２が開示されている。
【０００３】
【特許文献１】特開２００４−２１９６４４号公報
【特許文献２】特開２００６−１１９９９０号公報
【発明の開示】
【発明が解決しようとする課題】
【０００４】
しかしながら、従来のような図面を用いた方法では、光ケーブル毎の心線を調査し、調査した光ケーブル心線の接続情報の評価などを行い、最終的な接続情報を作成するかどうかを決定するまでに多大な時間を要するといった問題があった。
【０００５】
また、光ケーブルの心線の接続を行っても、それを後で確認する場合に、目視により簡単に確認できるような仕組みがないため、接続ミス等を評価するのが困難であるという問題もある。
【０００６】
本発明は、光ケーブルの心線の管理の効率化をはかることを目的とする。
【課題を解決するための手段】
【０００７】
本発明の一観点によれば、表示部と、中央処理装置と、ネットワーク設備シンボルと地図シンボルとを含む設備図データを格納する設備図ファイル記憶部と、該設備図ファイル記憶部内の前記各シンボルと各設備との間のリンク情報と、ケーブル内の心線の接続情報と、を格納した属性ファイル記憶部と、を有する記憶装置を有するケーブル管理装置であって、前記属性ファイル記憶部は、設備ＩＤを含む設備属性情報テーブルと、ケーブルＩＤと該ケーブルＩＤで特定されるケーブルの端設備のＩＤとを含むケーブル接続情報テーブルと、設備ＩＤと、該設備ＩＤに接続する２本のケーブルをそれぞれ特定する２つのケーブルＩＤと、ケーブルにおける心線の接続状況を心線毎に特定する心線ＮＯと、を含み、始端側の設備ＩＤと、接続されるケーブルＩＤと、接続される心線ＮＯと、の組合わせによりユニークとなるように構成されているケーブル心線接続情報テーブルと、利用ＩＤにより識別され、前記ケーブルＩＤ及び心線ＮＯと、心線ＮＯ毎の心線の利用情報と、を含むケーブル心線利用情報テーブルと、をそれぞれ独立に記憶しており、前記中央処理装置は、前記記憶装置内の情報を参照し、前記前記設備属性情報に基づいて前記設備ＩＤを選ぶと、該設備ＩＤに接続可能なケーブルと始端側と反対の端設備との組みの第１の選択肢を前記ケーブル接続情報に基づいて表示し、該第１の選択肢からケーブルを選択すると第１のケーブルルートが指定される処理を行っていく処理中において、ある施設に関する接続元ケーブルと接続先ケーブルとの少なくともいずれかに関する心線の利用状況を前記ケーブル心線利用情報に基づいて検索し、前記心線の利用状況を視覚的に認識可能な表示を行うことを特徴とするケーブル管理装置が提供される。
【０００８】
上記ケーブル管理装置によれば、始端側の設備ＩＤと、接続されるケーブルＩＤと、接続される心線ＮＯと、の組合わせによりユニークとなるように構成されているケーブル心線接続情報テーブルと、利用ＩＤにより識別され、前記ケーブルＩＤ及び心線ＮＯと、心線ＮＯ毎の心線の利用情報と、を含むケーブル心線利用情報テーブルと、をそれぞれ独立に記憶・管理することができるため、それぞれの情報テーブルで、ケーブルＩＤと接続される心線ＮＯとの項目に関しては共通に、その他の項目に関しては独立に、管理することにより、心線を含むケーブルに関する変更・更新・検索などの処理をスムーズかつ簡単に行うことができる。
【０００９】
また、複雑多岐にわたる光ケーブルネットワークの中から選択した光ケーブルのルートに関して、目的の光ケーブルのルート内の心線の接続情報を図面に表示し、図面上において、心線の接続・切断、接続状況の強調表示する処理を行うことを特徴とする。
【発明の効果】
【００１０】
以上、説明したように、本発明によれば、線を含むケーブルに関する変更・更新・検索などの処理をスムーズかつ簡単に行うことができる。
【００１１】
また、光ケーブルネットワーク設備シンボルおよび地図シンボルを格納した設備図ファイル上で、光ケーブルのケーブルルートを選択し、接続設備・光ケーブル・光ケーブル心線・光ケーブル心線の接続状態を図面の形態で表現するようにしたことにより、目的とする接続設備間の光ケーブル心線の接続・切断作業の効率が大幅に向上する。
【００１２】
さらに、表示させた図面上において、指定の心線の接続情報を追跡して強調表示したり、指定の光ケーブルのテープ内の心線の利用情報を視覚的に表示するようにすることで、光ケーブル心線の接続・切断作業の効率を向上させることができるという利点がある。
【発明を実施するための最良の形態】
【００１３】
以下、本発明の一実施形態によるケーブル心線管理システムについて光ケーブル心線ネットワーク管理システムを例にして図面を参照しながら説明を行う。
【００１４】
（システム構成）
図１は、本実施の形態による光ケーブル心線ネットワーク管理システムの一構成例を示す機能ブロック図である。本実施の形態による光ケーブル心線ネットワーク管理システムは、図１に示すように、キーボード、マウス、ＧＵＩなどからなる入力装置１と、このシステムにより作成されディスプレイに表示される設備図上に、例えば管理設備シンボルを表示させる処理、その設備シンボルに基づいて設備等の属性ファイルを参照する処理、この属性ファイルにより管理する項目を条件に地図を検索する処理などを実行させるための中央処理装置（ＣＰＵ）２であって、システム全体の制御も行う中央処理装置と、光ケーブル通信ネットワーク設備シンボルおよび地図シンボルのデータを格納した設備図ファイル３と、設備図ファイル３内の各シンボルと各設備との間のリンク情報を格納する属性ファイル４と、属性ファイル４の内容、設備図ファイル等を出力する表示装置５と、を有している。
【００１５】
さらに、属性ファイル４は、各設備の設備情報を管理する設備属性情報テーブル６と、光ケーブルと接続設備の接続関係を管理する光ケーブル接続情報テーブル７と、光ケーブル心線同士の接続関係を管理する光ケーブル心線接続情報テーブル８ａ及び光ケーブルに関する作業履歴を管理する作業履歴情報テーブル８ｂと、光ケーブル心線の利用情報属性を管理する光ケーブル心線利用情報テーブル９と、を有している。以下、属性ファイルのデータ構成例について説明する。適宜、図１を参照しながら説明を行う。
【００１６】
図２は、設備属性情報テーブル６のデータ構成例を示す図である。設備属性情報テーブル６の最小構成としては設備属性情報としてユニークＩＤである設備ＩＤを有しており、その他、設備名称等を含んでも良い。
【００１７】
図３は、光ケーブル接続情報テーブル７のデータ構成例を示す図である。光ケーブル接続情報テーブル７の最小構成の属性として、ユニークＩＤであるケーブルＩＤがあり、その他、ケーブル名称、ケーブルの２つの端設備の設備ＩＤ１・ＩＤ２、ケーブルの心線数を有していても良い。
【００１８】
図４は、光ケーブル心線接続情報テーブル８ａ及び作業履歴情報テーブル８ｂのデータ構成例を示す図である。図４Ａに示す光ケーブル心線接続情報テーブル８ａのデータの最小構成の属性として、接続を行った設備の設備ＩＤ、接続する２本の心線のケーブルＩＤ、心線ＮＯがあり、設備ＩＤ、ケーブルＩＤ１、心線ＮＯ１の３つの組合わせによりユニークとなるように構成されている。さらに、作業を一意に特定する作業ＩＤを有している。図４Ｂに示す作業履歴情報テーブル８ｂは、上記の作業ＩＤと、その作業ＩＤにより特定される作業を行った作業者のＩＤと、作業履歴情報、例えば作業期間などの情報と、を有している。
【００１９】
図５は、光ケーブル心線利用情報テーブル９のデータ構成例を示す図である。その最小構成の属性として、ユニークＩＤである利用ＩＤがあり、その他にケーブルＩＤ、心線ＮＯ、利用情報、設定者（利用情報を設定した者）、設定日（利用情報を設定した日）などの項目がある。
【００２０】
図６は、光ケーブルネットワーク設備シンボルである光ケーブル１１と光ケーブルの接続設備としてのクロージャ１２と、建物設備１３などを配置した設備の表示例を示す図であって、設備において、光ケーブル１１のルートを指定する方法を説明するためのシステムブロック図を合わせて示す図である。
【００２１】
例えば、符号Ａで示される設備を始端設備として指定すると、符号１）に示す表が表示装置５に表示される。ここで、ケーブル選択ボタンを押すと、符号２）で示される表のように、端設備Ａに適応するケーブル名称と他端の端設備との選択肢が表示される。ここで、例えば、ケーブルとしてケーブル００１を端設備として設備Ｂをセットで選択すると、符号３）で示される表示がなされ、端設備Ａ−ケーブル名称００１−端設備Ｂのケーブルルートを指定できていることが確認できる。ここで、このケーブルルートで良い場合には、ケーブル選択ボタンを押す。すると、符号４）で示されるテーブルが表示され、端設備Ｂを始端としてケーブルと端設備とのセットの候補が表示される。
【００２２】
これらのうち、例えば、ケーブル００２、端設備Ｃを選択し“ＯＫ”ボタンを押すと、端設備Ｂ−ケーブル名称００２−端設備Ｃのルートを指定できる。このようにケーブル選択処理を繰り返していくと符号５）、符号６）に示すように、設備Ａから設備Ｄまでの予定のルートを指定することができる。ここで、図面描画ボタンを押すと、符号７）に示すように図面作成処理が行われる。図７は、上記の処理により指定された光ケーブルのルートを選択した後に、このルート内の光ケーブルに関する光ケーブル心線接続情報テーブル８ａに基づいて、心線を含めたケーブルの接続構成例を表示した結果を示す図である。ここでは、４芯のテープ心線を例にしている。心線の接続（例えば符号７４）は、図４Ａの光ケーブル心線接続情報テーブル８ａと図５の光ケーブル心線利用情報９とに基づいて表示される。
【００２３】
図８は、図面上に描画された心線を表す図形を指定することにより、光ケーブル心線接続情報テーブル８ａを元に、光ケーブルのケーブルルートの始端から終端までの光ケーブルの心線の接続状況を図形で強調表示する方法を説明するための図である。図８に示すように、実際に接続される心線が、符号８１、符号８２などの太い線によって強調表示される。強調表示により、実際に接続されているケーブルを認識しやすくなっている。
【００２４】
図９は、図面上に描画された接続設備を表す図形を指定することにより、光ケーブルの心線の接続・切断処理を行い、光ケーブル心線接続情報テーブル８ａを作成する方法を説明するための図である。例えば符号９１で示される設備Ｂに関連する図では、その詳細情報を符号９２で示すテーブル形式で参照することができる。この参照テーブルでは、設備Ｂに関連する接続済み心線に関する情報と、接続元ケーブルに関する情報と、接続先ケーブルに関する情報と、が表示されている。さらに、接続、切断の選択ボタンと、ＯＫボタンが表示されている。
【００２５】
（処理に関する説明）
図１０（Ａ）から（Ｃ）までは、図面上に描画された光ケーブルの心線を一定の数でまとめた単位のテープを表す図形を指定することにより、そのテープ内の光ケーブルの心線の利用情報を図示する方法を説明するためのブロック図である。
【００２６】
以下、図１〜図１３までを参照しながら、本実施の形態による光ケーブルネットワーク設備図管理装置における光ケーブルのルートの心線の接続情報の表示技術についてより具体的に説明する。
【００２７】
表示装置５に表示されている光ケーブルネットワーク上において、まず始めに、始端の設備を選択する。すると、図１１に示すように、図面描画処理が開始される（ステップＳ１１００）。図形描画処理においては、まず、選択した設備のＩＤを設備属性情報６から取得する（ステップＳ１１０１）。始端の設備としては、図６に示す設備図１０において、光ケーブルの接続設備として、クロージャ１２又は建物設備１３を選択することができる。始端設備を選択すると、ケーブルルート指定処理が開始され（１１０２）、ケーブルルート指定画面が表示され、リストの左上に始端設備が表示される。
【００２８】
始端設備選択後、始端設備に接続されているケーブルを選択するため、ケーブル選択ボタンを押下する（ステップ１１０２−１）。このとき、該当の設備ＩＤを持つケーブルＩＤを取得する。次に、ケーブル選択処理が行われ（１１０２−２）、ケーブル選択画面が表示され、ケーブルを選択すると（１１０２−３でＹ）、始端設備に接続されているケーブルの一覧が表示される（ステップ１１０２−２−１）。ユーザはこの一覧の中から目的のケーブルを選択し、ＯＫボタンを押下し、ケーブル選択処理を終了する（１１０２−２−２）。
【００２９】
次に、ケーブルルート選択画面に戻り、ケーブル選択画面で選択したケーブル名称および選択したケーブルの始端設備とは反対側の接続設備の名称が自動的に表示されるので設定する(ステップ１１０２−２)。この後は、ケーブル選択を繰り返すことにより（１１０２−３のＹ、Ｎ）、始端設備−ケーブル−接続設備−…−ケーブル−終端設備と、いうようにして、目的のケーブルルートの指定を行っていくことができる（１１０２−４）。最後にケーブルルート指定処理を終了する（１１０２−５）。
【００３０】
ケーブルルートの指定後に、ケーブルルート選択画面において図面描画ボタンを押下すると（１１０３）、指定したケーブルルート内の光ケーブルの心線の光ケーブル心線接続情報８ａ、光ケーブル心線利用情報９により、図７のような図面を描画する（ステップ１１０３、１１０３−１〜４、１１０４−２）。
【００３１】
図面は、クロージャ１２または建物設備１３を表す接続設備図形７１と、光ケーブルを表す光ケーブル図形７２、光ケーブル内の心線の束を表すテープと呼ばれる単位を表すテープ図形７３、テープの接続を表す接続記号７４、を含む。図面は選択した設備・ケーブル数、選択した光ケーブルの心線数に応じて作成され、右方向、下方向に向かって表示される。このように表示することにより、目的の光ケーブルのケーブル・ルートについて、心線数や現在の心線の接続情報がひと目で確認できるため、以後の光ケーブルの心線の心線接続・切断作業の効率が大幅に向上するという利点がある。
【００３２】
次に、表示された図面において、光ケーブルの心線の接続状況の強調表示の方法について説明する。図８に示す表示において、ユーザは、光ケーブルの心線の束を表すテープ図形８１（ここでは心線５〜８）を選択すると、図１２に示すように、そのテープ内に含まれる心線の番号を取得することができる（ステップ１２０１、１２０２）。光ケーブル接続情報７、光ケーブル心線接続情報８ａに基づいて、心線の接続情報を自動的に検索し、該当するテープ図形、接続記号の図形を強調表示し(ステップ１２０３、１２０４)、強調表示処理を終了する（ステップ１２０５）。このような処理に基づく表示により、ユーザは、自分の行った作業内容または、知りたい心線の接続情報を図面上において視覚的に確認することが可能となる。
【００３３】
次に、表示された図面上において、光ケーブルの心線の接続・切断を行う処理について説明する。図９に示す表示画面において、ユーザは、光ケーブルの接続設備を表す接続設備図形９１を選択すると、光ケーブル心線接続・切断画面９２が表示される。光ケーブル心線接続・切断画面９２では、接続元光ケーブル、接続先光ケーブル、接続済み心線、操作履歴及び作業者ＩＤを含む一覧表示がなされる。
【００３４】
光ケーブル心線の接続を行う場合は、接続元光ケーブルの心線と接続先光ケーブルの心線とを選択し、接続ボタンを押下することにより、光ケーブル心線接続情報８ａを作成し、画面上では、該当の接続元の光ケーブル心線、接続先の光ケーブル心線を一覧から削除し、同時に接続済み心線の一覧に追加する。この際、操作履歴と作業者ＩＤもそれぞれの接続元ケーブル名称と両端の心線番号と接続先のケーブル名称の組みに対して付加される。
【００３５】
一方、光ケーブルの心線の切断を行う場合は、上記接続済み心線の一覧から切断を行いたい組みに該当する行を選択し、切断ボタンを押下することにより、光ケーブル心線接続情報８ａからその行のレコードを削除し、画面９２上においては、該当する接続済み心線の一覧からデータ表示を削除するとともに、選択候補になりうるため、接続元の光ケーブル心線、接続先の光ケーブル心線の一覧に追加する。また、光ケーブル心線・接続画面において、ＯＫボタンを押下した場合は、画面を消去し、画面上で行った接続・切断の結果を図面に反映させる処理が行われる。このような方式を用いることにより、ユーザは、光ケーブルの心線の接続・切断を、視覚的に認識可能な形態で行うことができ、作業効率が向上し、作業ミスが低減するという利点がある。
【００３６】
尚、接続済み心線の情報に対して作業履歴と作業者ＩＤを付与しておくことにより、作業の内容を作業者ＩＤに確認することができるとともに、作業履歴を参照することで、どの時点での接続に問題があったかなどをすぐに知ることができる。
【００３７】
次に、表示された図面において、光ケーブルの心線の束であるテープ内の心線の利用情報を視覚的に表示する方法の概略について説明する。図１０に示すように、ユーザは、光ケーブルの心線の束であるテープ図形１００１を選択すると、図１３に示すように、光ケーブルのテープ内の心線の利用情報表示処理が開始され（１３０１）、光ケーブル心線利用情報９に基づいて、各光ケーブル心線の利用情報を検索し（１３０２）、指定の書式にて、光ケーブル心線利用情報図形１００２を描画する（ステップ１３０３、１３０４）。この光ケーブル心線利用情報図形１００２は、例えば心線５〜８までの１芯ずつの利用情報を図５に示す光ケーブル心線利用情報に基づいて、視覚的に認識しやすい表示で示すようになっている。図１０（Ｃ）に示すように、光ケーブル心線の利用情報の表示例としては、異なるハッチ又は色などにより、未使用（空き）、使用中、計画中、不良、キャンセルのように現在の心線の利用状況を視覚的に識別できるようになっている。
【００３８】
「未使用」は現在空きである、かつ、使用計画がない状況であることを示しており、現在利用が可能であることを意味する。「使用中」は、現在使用している状況であることを示し、現在は利用が不可能であることを意味する。「計画中」は現在ケーブルを使用する計画が進んでいる状況であることを示し、これも、「使用中」と同様に利用が難しいこと、但し、場合によっては利用することも可能であることを意味する。「不良」は、心線が切断などの原因により故障中であるため使用不可の状況であることを示し、「不良」が修理されると、「未使用」となり利用可能となるのでトレースする価値があることを示している。「キャンセル」は、ユーザからの申し込みがあった後にキャンセルが発生し、心線がすぐにでも利用可能である状況を示す。「キャンセル」の場合には、例えば近所の新規ユーザ候補に対して割り当てることができる状況である。この場合には、設計者は、作業者ＩＤに基づいて作業者に問い合わせ、どの程度工事が完成しているかを確認することもできる。
【００３９】
符号１００３で示すように、心線５〜９までのうち、心線Ｎｏ＝５は未使用、心線Ｎｏ＝６は計画中、心線Ｎｏ＝７は不良、心線Ｎｏ＝８は使用中であることを示しており、設備Ｂに接続する心線としては、Ｎｏ＝５が好ましいことが一見してわかるようになっている。
【００４０】
また、再度、光ケーブル心線利用情報図形１００２を選択すると、光ケーブル心線の利用情報の表示を取り消し（ステップ１３０８）、テープ図形１００１の表示に戻る。表示された光ケーブル心線利用情報図形は、テープ内の心線の番号順に左より描画される（１００５）。ループから抜けると、図面上において該当するテープ利用情報の図形を表示し（１３０６）、処理を終了する（１３０７）。
【００４１】
このような方式を用いることにより、ユーザは、目的のテープ内の光ケーブル心線の利用情報を見たい時に確認することができるようになり、光ケーブル心線の接続・切断の作業に関する参考とすることができる。
【００４２】
以上、説明したように、本実施の形態による光ケーブル管理システムによれば、光ケーブルネットワーク設備シンボルおよび地図シンボルを格納した設備図ファイル上で、光ケーブルのケーブルルートを選択し、接続設備・光ケーブル・光ケーブル心線・光ケーブル心線の接続状態を図面に表現するようにすることで、目的の接続設備間の光ケーブル心線の接続・切断作業の効率が大幅に向上できる。さらに、表示した図面上において、指定の心線の接続情報を追跡して強調表示したり、指定の光ケーブルのテープ内の心線の利用情報を視覚的に表示することができ、光ケーブル心線の接続・切断作業の効率が向上する。
【産業上の利用可能性】
【００４３】
本発明は、光ケーブルの管理装置として利用可能である。
【図面の簡単な説明】
【００４４】
【図１】本発明の一実施の形態による光ケーブル心線ネットワーク管理システムの一構成例を示す機能ブロック図である。
【図２】設備属性情報のデータ構成例を示す図である。
【図３】光ケーブル接続情報のデータ構成例を示す図である。
【図４Ａ】光ケーブル心線接続情報のデータ構成例を示す図である。
【図４Ｂ】作業履歴情報のデータ構成例を示す図である。
【図５】光ケーブル心線利用情報のデータ構成例を示す図である。
【図６】光ケーブルネットワーク設備シンボルである光ケーブルと光ケーブルの接続設備としてのクロージャと、建物設備などを配置した設備図の表示例を示す図である。
【図７】心線を含めたケーブルの接続構成例を表示した結果を示す図である。
【図８】図面上に描画された心線を表す図形を指定することにより、光ケーブル心線接続情報を元に、光ケーブルのケーブルルートの始端から終端までの光ケーブルの心線の接続状況を図形で強調表示する方法を説明するための図である。
【図９】図面上に描画された接続設備を表す図形を指定することにより、光ケーブルの心線の接続・切断処理を行い、光ケーブル心線接続情報を作成する方法を説明するための図である。
【図１０】図１０（Ａ）から（Ｃ）までは、図面上に描画された光ケーブルの心線を一定の数でまとめた単位のテープを表す図形を指定することにより、そのテープ内の光ケーブルの心線の利用情報を図示する方法を説明するためのブロック図である。
【図１１】本実施の形態による処理の流れを示すフローチャート図である。
【図１２】本実施の形態による処理の流れを示すフローチャート図である。
【図１３】本実施の形態による処理の流れを示すフローチャート図である。
【符号の説明】
【００４５】
１…入力装置、２…中央処理装置、３…設備図ファイル、４…属性ファイル、５…表示装置、６…属性情報、７…光ケーブル接続情報テーブル、８ａ…光ケーブル心線接続情報テーブル、８ｂ…作業履歴情報テーブル、９…光ケーブル心線利用情報テーブル、１０…設備図、１１…ケーブル、１２…クロージャ、１３…建物設備 
【図１】
2008146350.tif 000003
【図２】
2008146350.tif 000004
【図３】
2008146350.tif 000005
【図４Ａ】
2008146350.tif 000006
【図４Ｂ】
2008146350.tif 000007
【図５】
2008146350.tif 000008
【図６】
2008146350.tif 000009
【図７】
2008146350.tif 000010
【図８】
2008146350.tif 000011
【図９】
2008146350.tif 000012
【図１０】
2008146350.tif 000013
【図１１】
2008146350.tif 000014
【図１２】
2008146350.tif 000015
【図１３】
2008146350.tif 000016